(57)【特許請求の範囲】
【請求項１】
複数の絞り羽根の回転により絞り開口の大きさを制御する絞り装置であって、第１の回転軸の周りに回転自在であり、第１の駆動点を有する第１の絞り羽根と、前記第１の回転軸と駆動点の間に位置する第２の回転軸の周りに回転自在であり、前記第１の回転軸に対し、前記第２の回転軸とは反対側に位置する第２の駆動点を有する第２の絞り羽根と、前記第１および第２の駆動点を介して前記第１および第２の絞り羽根を回転させる駆動手段とを備え、前記第１および第２の絞り羽根には、それぞれ前記第２および第１の回転軸との干渉を避ける軸受容開口が形成されていることを特徴とする絞り装置。
【請求項２】
前記第１の回転軸と第１の駆動点との間の距離は、前記第２の回転軸と第２の駆動点との間の距離に等しいことを特徴とする請求項１に記載の絞り装置。
【請求項３】
前記駆動手段が、前記第１および第２の駆動点に設けられる軸が嵌合される駆動穴を有することを特徴とする請求項１に記載の絞り装置。
【請求項４】
カメラのシャッターに用いられることを特徴とする請求項１に記載の絞り装置。
【請求項５】
カメラの絞りに用いられることを特徴とする請求項１に記載の絞り装置。
【発明の詳細な説明】
【０００１】
【発明の属する技術分野】
本発明は、複数の絞り羽根の回転動作により絞り開口の大きさを制御する絞り装置に関する。
【０００２】
【従来の技術】
従来絞り装置は、複数の絞り羽根から構成され、これらの絞り羽根を回転させることによりの絞り開口の大きさを調節し、被写体から受ける反射光の光量を制御するように構成されている。このような回転動作のため、各絞り羽根は回転中心の近傍に駆動軸を有しており、駆動軸は絞り羽根駆動板によって回動される。
【０００３】
【発明が解決しようとする課題】
このように従来の絞り装置は、回転中心と駆動軸が近い位置にあるため、所定の駆動軸の移動量に対する絞り羽根の回転量が大きく、絞り羽根の回転位置を高精度に定めることができず、絞り開口の大きさを正確に制御することが困難であった。また絞り開口の大きさの精度を高めるために多数の絞り羽根を備えたものがあるが、絞り羽根が相互に動作を干渉しあうため、絞り装置が全閉状態にならなかったり、絞り羽根の回転動作が妨げられる可能性があった。
【０００４】
本発明は、絞り羽根の枚数の多少にかかわらず、絞り開口の大きさの精度を向上さ、しかも全閉状態を得ることができる絞り装置を提供することを目的とする。
【０００５】
【課題を解決するための手段】
本発明に係る第１の絞り装置は、第１の回転軸の周りに回転自在であり、第１の駆動点を有する第１の絞り羽根と、第１の回転軸と駆動点の間に位置する第２の回転軸の周りに回転自在であり、第１の回転軸に対し、第２の回転軸とは反対側に位置する第２の駆動点を有する第２の絞り羽根と、第１および第２の駆動点を介して第１および第２の絞り羽根を回転させる駆動手段とを備え、第１および第２の絞り羽根には、それぞれ第２および第１の回転軸との干渉を避ける軸受容開口が形成されていることを特徴とする。
【０００６】
本発明に係る第１の絞り装置は、第１の回転軸と第１の駆動点との間の距離が第２の回転軸と第２の駆動点との間の距離に等しくてもよい。
【０００７】
本発明に係る第１の絞り装置は、駆動手段が、第１および第２の駆動点に設けられる軸が嵌合される駆動穴を有していてもよい。
【０００８】
発明に係る第２の絞り装置は、回転軸と駆動点を有し回転軸の周りに回転される絞り羽根と、駆動点を駆動して絞り羽根を回転させる駆動手段とを備え、絞り羽根により絞りが形成され、回転軸が絞りを挟んで駆動点の反対側に位置づけられていることを特徴としている。
【０００９】
発明に係る第１および第２の絞り装置は、カメラのシャッターあるいは絞りに用いられてもよい。
【００１０】
【発明の実施の形態】
以下、図示実施形態により本発明を説明する。
図１は、本発明の一実施形態である絞り装置をカメラのシャッターに適用した例を示し、このシャッターの分解斜視図である。
【００１１】
撮影レンズ１１を備えた第１の支持枠１０と第２の支持枠２０の間には、駆動リング３０が配設され、第１の支持枠１０と駆動リング３０との間には４枚の絞り羽根４０、５０、６０、７０が配設されている。
【００１２】
第２の支持枠２０には駆動リング３０と接する側に円筒状の支持部２１が形成されている。支持部２１は側面部２１ａと円形表面部２２とから成り、円形表面部２２の中心は、光軸１と一致している。円形表面部２２には４個の支持ピン２４、２５、２６、２７が光軸１の周りに同一円周上に等間隔で設けられている。
【００１３】
駆動リング３０の中央部には支持部２１の側面部２１ａに摺動自在に嵌合する支持穴３２が形成されている。支持穴３２の周りには４個の駆動穴３４、３５、３６、３７が同一円周上に等間隔で穿設されている。また駆動リング３０の外縁の一部にはセクタギア３１が形成されている。
【００１４】
図２は絞り羽根４０の形状を示している。絞り羽根４０は、駆動部Ａと、支持部Ｂと、駆動部Ａと支持部Ｂを繋ぐ連結部Ｃから成っている。駆動部Ａは駆動ピン４２と円弧穴４３を備え、支持部Ｂは支持穴４１を備えている。連結部Ｃに形成された円弧部Ｄは絞り開口の外縁の一部を形成する。他の絞り羽根５０、６０、７０も同一の形状を有している。
【００１５】
支持穴４１は支持ピン２４に嵌合しており、絞り羽根４０は支持ピン２４の周りに回転する。駆動ピン４２は駆動リング３０の駆動穴３４に嵌合している。円弧穴４３には支持ピン２５が挿通しており、絞り羽根４０の回転動作が支持ピン２５により妨げられることはない。
【００１６】
同様に、絞り羽根５０は支持穴５１と駆動ピン５２と円弧穴５３を備えている。支持穴５１は支持ピン２５に嵌合しており、絞り羽根５０は支持ピン２５の周りに回転する。駆動ピン５２は駆動リング３０の駆動穴３５に嵌合している。円弧穴５３には支持ピン２４が挿通しており、絞り羽根５０の回転動作が支持ピン２４により妨げられることはない。
【００１７】
絞り羽根４０の支持穴４１と駆動ピン４２との間の距離は、絞り羽根５０の支持穴５１と駆動ピン５２との間の距離に等しい。支持穴４１が嵌合している支持ピン２４と支持穴５１が嵌合している支持ピン２５は、支持部２１の円形表面部２２の中心を挟んで反対側に、その中心からそれぞれ等しい位置に形成されている。また駆動ピン４２と駆動ピン５２は支持穴４１の中心を挟んで反対側に、その中心から等しい位置に形成されている。すなわち、絞り羽根４０と絞り羽根５０は光軸１を挟んで対称に配設されている。
【００１８】
絞り羽根６０、７０は、絞り羽根４０、５０と同様な構成を有している。すなわち、絞り羽根６０の支持穴６１は支持ピン２６に嵌合し、駆動ピン２６は駆動穴３６に嵌合している。また、絞り羽根７０の支持穴７１は支持ピン２７に嵌合し、駆動ピン２７は駆動穴３７に嵌合している。絞り羽根６０の円弧穴６３には支持ピン２７が挿通し、絞り羽根７０の円弧穴７３には支持ピン２６が挿通しており、絞り羽根６０、７０の回転動作はそれぞれ支持ピン２７、２６により妨げられることはない。
【００１９】
絞り羽根６０の支持穴６１と駆動ピン６２との間の距離は、絞り羽根７０の支持穴７１と駆動ピン７２との間の距離に等しい。支持穴６１が嵌合している支持ピン２６と支持穴７１が嵌合している支持ピン２７は、支持部２１の中心を挟んで反対側に、その中心から等しい位置に形成されている。また駆動ピン６２と駆動ピン７２は支持穴４１の中心を挟んで反対側に、その中心から等しい位置に形成されている。すなわち、絞り羽根６０と絞り羽根７０は光軸１を挟んで対称に配設されている。
【００２０】
第１の支持枠１０は、絞り羽根４０、５０、６０、７０および駆動リング３０を覆うように第２の支持枠２０に接着される。
【００２１】
図３、図４、図５、図６は絞り羽根４０、５０、６０、７０と駆動リング３０の状態を第１の支持枠１０の側から見た図である。図３はシャッターが全開の状態、図６はシャッターが全閉の状態を示している。図において絞り開口Ｐには斜線を付してある。
【００２２】
シャッターが全開の状態から全閉の状態に到る過程を順を追って説明する。図３の状態において図示しない駆動モータによりセクタギア３１を介して駆動リング３０を反時計方向であるＸ方向に回転させると、絞り羽根４０、５０、６０、７０は、駆動ピン４２、５２、６２、７２が駆動リング３０の駆動穴３４、３５、３６、３７（図１）に嵌合しているため、駆動リング３０の動きと連動してＸ方向に回転する。その際、絞り羽根の支持穴４１、５１、６１、７１（図１）は第２の支持枠２０に取り付けられた支持ピン２４、２５、２６、２７（図１）に固定されているため、静止している。したがって、絞り羽根４０、５０、６０、７０はそれぞれ支持穴４１、５１、６１、７１を中心点としてＸ方向に回転する。
【００２３】
絞り羽根４０には絞り羽根５０の支持ピン２５に対応する部分に円弧穴４３が設けられており、絞り羽根５０には絞り羽根４０の支持ピン２４に対応する部分に円弧穴５３が設けられている。したがって絞り羽根４０、５０は相互の回転動作を干渉しあうことはない。同様に、絞り羽根６０には絞り羽根７０の支持ピン２７に対応する部分に円弧穴６３が設けられており、絞り羽根７０には絞り羽根６０の支持ピン２６に対応する部分に円弧穴７３が設けられている。したがって絞り羽根６０、７０は相互の回転動作を干渉しあうことはない。
【００２４】
駆動リング３０がＸ方向に回転すると、４枚の絞り羽根により形成されている絞り開口Ｐは図４の斜線部分で示したように全開状態の時に比べて小さくなる。
【００２５】
図４の状態から更に駆動リング３０をＸ方向へ回転させると、図５で示すように絞り開口Ｐは図４の状態に比べて小さくなり、更にＸ方向への回転を続けるとシャッターは図６に示すような全閉状態となる。
【００２６】
逆にシャッターを全閉の状態から全開の状態に到らしめるには駆動リング３０をＹ方向に回転させればよい。
【００２７】
以上説明したように本実施形態では駆動ピン４２と支持ピン２４が嵌合した支持穴４１が、光軸１を挟んで反対側に位置している。同様に、駆動ピン５２と支持穴５１、駆動ピン６２と支持穴６１、および駆動ピン７２と支持穴７１が光軸１を挟んで反対側に位置している。すなわち、本実施形態では、駆動ピンと支持ピンの間の距離が従来と比べて長くなっており、駆動ピンの所定の駆動量に対応した絞り羽根の回転量が、従来と比べて小さい。したがって、絞り羽根により形成される絞り開口の大きさの設定精度が従来の装置と比べて高くなっている。
【００２８】
また、本実施形態では、絞り羽根に円弧穴４３、５３、６３、７３が設けられている。これらの円弧穴は支持ピン２４、２５、２６、２７を受容する軸受容開口であり、それにより他の絞り羽根の回転動作を妨げることがない。したがって、本装置は完全に閉じることが可能である。尚、本実施形態において円弧穴はお互いの回転動作を妨げないように形成されていればよく、たとえば切欠であってもよい。
【００２９】
更に、本実施形態では、シャッターが全開した時、絞り開口の形状が真円となっているが、必ずしもその必要はない。
【００３０】
尚、本実施形態では、本発明に係る絞り装置をカメラのシャッター装置に用いているが、カメラの撮影レンズを通過する光量を制御する絞りに用いることも可能である。
【００３１】
【発明の効果】
以上のように、本発明によれば絞り装置において、絞り開口の大きさの精度を向上させ、かつ全閉状態を得ることができるという効果が得られる。
【図面の簡単な説明】
【図１】第１の支持枠、第２の支持枠、駆動リング、４枚の絞り羽根の位置関係をしめした斜視図である。
【図２】絞り羽根の形状を示した図である。
【図３】シャッターが全開状態である絞り羽根の位置関係を示した図である。
【図４】シャッターが全開状態と全閉状態の間にある絞り羽根の位置関係を示した図である。
【図５】シャッターが全開状態と全閉状態の間にある絞り羽根の位置関係を示した図である。
【図６】シャッターが全閉状態である絞り羽根の位置関係を示した図である。
【符号の説明】
２４、２５、２６、２７  支持ピン
３０  駆動リング
３１  セクタギア
３４、３５、３６、３７  駆動穴
４０、５０、６０、７０  絞り羽根
４１、５１、６１、７１  支持穴
４２、５２、６２、７２  駆動ピン
４３、５３、６３、７３  円弧穴
【図１】
0003723617.tif 000002
【図２】
0003723617.tif 000003
【図３】
0003723617.tif 000004
【図４】
0003723617.tif 000005
【図５】
0003723617.tif 000006
【図６】
0003723617.tif 000007